(57)【特許請求の範囲】
【請求項１】
携帯端末が送信する信号を受信部で受信し、情報処理装置に送信部から信号を送信する信号中継装置であって、
前記信号中継装置は接続部によって前記情報処理装置に接続されており、
前記受信部が受信する信号に対応する処理を記憶する記憶部と、
前記受信部が受信した信号に対して、該信号に対応づけて前記記憶部に記憶された処理を行う制御部とを有し、
前記携帯端末が送信する所定の信号によって筐体から突出させられる部分に接触する位置に配置され、
前記記憶部が、前記所定の信号に対応する処理として、前記送信部から前記所定の信号を送信しないことを記憶していることを特徴とする、信号中継装置。
【請求項２】
携帯端末が送信する信号を受信部で受信し、情報処理装置に送信部から信号を送信する信号中継装置であって、
前記信号中継装置は接続部によって前記情報処理装置に接続されており、
前記受信部が受信する信号に対応する処理を記憶する記憶部と、
前記受信部が受信した信号に対して、該信号に対応づけて前記記憶部に記憶された処理を行う制御部とを有し、
前記携帯端末が送信する所定の信号によって筐体から突出させられる部分に接触する第１の位置と該部分に接触しない第２の位置とをとることができるように配置され、
前記記憶部が、前記所定の信号に対応する処理として、前記第１の位置から前記第２の位置に移行し、前記第２の位置に移行した後に前記送信部から前記所定の信号を送信することを記憶していることを特徴とする、信号中継装置。
【発明の詳細な説明】
【技術分野】
【０００１】
本発明は、リモートコントローラの発信する信号を情報処理装置に対して中継する信号中継装置に関する。
【背景技術】
【０００２】
リモートコントローラによって赤外線、無線、超音波等の信号を発信し、情報処理装置に信号を伝達して制御するシステムにおいては、情報処理装置がリモートコントローラからの信号を受信できない位置にあると、リモートコントローラによって情報処理装置を制御することができない。
【０００３】
特許文献１では、かかる課題を解決するために、リモートコントローラからの信号を受信して情報処理装置に再送する中継装置が開示されている。
【０００４】
【特許文献１】特開平１０−２７１５７６号公報
【発明の開示】
【発明が解決しようとする課題】
【０００５】
光ディスクドライブ装置の前面に、地図情報等を表示可能な表示画面を有する信号中継装置を配置し、光ディスクドライブ装置に対してリモートコントローラが発信する信号を信号中継装置で中継することが考えられる。これは、例えば自動車の居室内に配置された光ディスクドライブ装置の前面に表示画面を有するパーソナルコンピュータを接続し、パーソナルコンピュータにおいて光ディスク再生装置に操作を指示するためのリモートコントローラが発信する信号を中継することで、光ディスクドライブ装置によるさまざまなメディア再生機能とリモートコントローラによる操作の利便性を維持しながら、最小限のスペースで、パーソナルコンピュータによる情報表示をも可能とするものである。
【０００６】
ここで、光ディスクドライブ装置は、再生すべき光ディスクを前面から挿入／排出する必要がある。リモートコントローラが発信する信号のパーソナルコンピュータによる中継に特許文献１に記載の中継装置を適用すると、例えば利用者がリモートコントローラで光ディスク排出を指示したときに、光ディスクまたは光ディスクドライブ装置のトレイが前面に突出し、光ディスクドライブ装置の前面に配置されるパーソナルコンピュータに衝突してしまうという問題がある。
【０００７】
そこで、本発明は、情報処理装置の前面に配置されているときに、リモートコントローラから情報処理装置に一部を突出させる指示を送信しても、その一部が衝突することのない信号中継装置を提供することを目的とする。
【課題を解決するための手段】
【０００８】
本発明の第１の信号中継装置は、携帯端末が送信する信号を受信部で受信し、情報処理装置に送信部から信号を送信する信号中継装置であって、前記信号中継装置は接続部によって前記情報処理装置に接続されており、前記受信部が受信する信号に対応する処理を記憶する記憶部と、前記受信部が受信した信号に対して、該信号に対応づけて前記記憶部に記憶された処理を行う制御部とを有し、前記携帯端末が送信する所定の信号によって筐体から突出させられる部分に接触する位置に配置され、前記記憶部が、前記所定の信号に対応する処理として、前記送信部から前記所定の信号を送信しないことを記憶していることを特徴とする。
【０００９】
本発明の第２の信号中継装置は、携帯端末が送信する信号を受信部で受信し、情報処理装置に送信部から信号を送信する信号中継装置であって、前記信号中継装置は接続部によって前記情報処理装置に接続されており、前記受信部が受信する信号に対応する処理を記憶する記憶部と、前記受信部が受信した信号に対して、該信号に対応づけて前記記憶部に記憶された処理を行う制御部とを有し、前記携帯端末が送信する所定の信号によって筐体から突出させられる部分に接触する第１の位置と該部分に接触しない第２の位置とをとることができるように配置され、前記記憶部が、前記所定の信号に対応する処理として、前記第１の位置から前記第２の位置に移行し、前記第２の位置に移行した後に前記送信部から前記所定の信号を送信することを記憶していることを特徴とする。
【発明の効果】
【００１０】
本発明によれば、情報処理装置の前面に配置されているときに、リモートコントローラから情報処理装置に一部を突出させる指示を送信しても、その一部が衝突することのない信号中継装置を提供することができる。
【発明を実施するための最良の形態】
【００１１】
以下、図面を参照して本発明を実施するための最良の形態について詳細に説明する。本発明の第１の実施形態の信号中継装置の概略を説明すると、信号中継装置は、情報処理装置とユーザとの間に配置される。携帯端末は、ユーザの操作により、情報処理装置を操作するための信号を送信する。信号中継装置は、携帯端末が送信した信号を受信して、これが情報処理装置に対して情報処理装置の一部と信号中継装置との接触を生じさせる動作を行わせるものである場合に、これを中継しないようにするものである。
【００１２】
図１は、本発明の第１の実施形態の信号中継装置の構成を示すブロック図である。図１を参照すると、本実施形態の信号中継装置１０は、接続部２１によって情報処理装置２０の受信部２２を覆うような位置に配置される。
【００１３】
信号中継装置１０は、例えばパーソナルコンピュータであり、受信部１１、記憶部１２、制御部１３および送信部１４を有する。情報処理装置２０は、例えば光ディスクドライブ装置であり、接続部２１、受信部２２、および可動部２３を有する。携帯端末３０は、例えばリモートコントローラであり、操作部３１と送信部３２とを有する。
【００１４】
受信部１１は、例えば赤外線受光素子であり、携帯端末３０から送信される信号を受信する。記憶部１２は、例えばハードディスクドライブ装置であり、受信部１１が受信する信号と制御部１３で行うべき処理とを対応づけて記憶する。具体的には、情報処理装置２０に対して一部を突出する処理を行わせるための信号に対しては、これを送信部１４に送信させないようにすることが記憶されている。なお、例えばスロットイン型の光ディスクドライブ装置に対して光ディスクの排出動作を行わせたときに排出される光ディスクも、所定の信号によって筐体から突出させられる部分であるので、かかる動作を行わせる信号も送信部１４に送信しないように構成することもできる。制御部１３は、例えばマイクロプロセッサであり、受信部１１が受信する信号に対応づけて記憶部１２に記憶される処理を実行する。送信部１４は、例えば赤外線発光素子であり、制御部１３に制御されて所定の信号を発信する。
【００１５】
接続部２１は、例えば情報処理装置２０から突出した部材であり、信号中継装置１０をねじ止め・クランプによる挟み込み・吸盤による吸着などの方法によって固定し、信号中継装置１０を所定の位置に配置する。受信部２２は、例えば赤外線受光素子であり、所定の信号を受信する。可動部２３は、例えば光ディスクドライブ装置のトレイであり、情報処理装置２０の図示しない制御部に制御されて、受信部２２が受信した信号に対応し筐体の一部を突出させる動作、例えばトレイの排出動作を行うよう構成されている。
【００１６】
操作部３１は、例えば携帯端末３０のボタンであり、情報処理装置２０に所望の動作をさせることを意図したユーザにより操作される。送信部３２は、例えば赤外線発光素子であり、ユーザによる操作部３１への操作に対応した所定の信号を発信する。
【００１７】
図２は、第１の実施形態の信号中継装置１０が信号を中継するときの動作を説明する流れ図である。図２を参照すると、受信部１１は、ユーザの操作により携帯端末３０の送信部３２が送信した所定の信号を受信する（ステップＳ１）。ここでは、所定の信号として、情報処理装置２０に対して一部を突出する処理、例えば光ディスクドライブ装置のトレイを排出させるためのものと、情報処理装置２０に対して一部を突出させない処理、例えば光ディスクドライブ装置での読み出しを一時停止させるためのものとを考える。
【００１８】
次に、制御部１３は、受信部１１が受信した信号に対応して行うべき処理を、記憶部１２から読み出す（ステップＳ２）。続いて、制御部１３は、記憶部１２から読み出した受信部１１が受信した信号に対応して行うべき処理を実行する（ステップＳ３）。即ち、情報処理装置２０に対して一部を突出する処理をさせるための信号については送信部１４に送信させず、情報処理装置２０に対して一部を突出させない処理をさせるための信号は送信部１４に送信させる。
【００１９】
次に、送信部１４は、制御部１３に制御されて所定の信号を送信する（ステップＳ４）。即ち、情報処理装置２０に対して一部を突出する処理をさせるための信号は送信せず、情報処理装置２０に対して一部を突出させない処理をさせるための信号は送信する。
【００２０】
続いて、本発明の第２の実施形態の信号中継装置の構成を、図１を用いて説明する。第２の実施形態では、信号中継装置１０は、携帯端末３０が送信した信号によって情報処理装置２０の筐体から突出させられる部分に接触しない位置をとることができるように、接続部２１に接続されている。また、記憶部１２は、情報処理装置２０に対して一部を突出する処理を行わせるための信号に対しては、信号中継装置１０を情報処理装置２０の筐体から突出させられる部分に接触しない位置に移動させ、その後に信号を送信部１４に送信させるようにすることが記憶されている。ここで、信号中継装置１０の移動のためには、信号中継装置１０に可動部を設けてもよいし、情報処理装置２０に可動部を設け、信号中継装置１０と情報処理装置２０のそれぞれに通信手段を設け、信号中継装置１０から通信手段を通して情報処理装置２０を制御するようにしてもよい。また、中継手段として信号中継装置１０の送信部１４と情報処理装置２０の受信部２２を用いてもよい。以上の点を除き、第２の実施形態は、第１の実施形態と同様である。
【００２１】
第２の実施形態の信号中継装置１０が信号を中継するときの動作を説明する流れを、図２を用いて説明する。第２の実施形態での動作の流れは、第１の実施形態と同様であるが、ステップＳ２で記憶部１２から読み出される処理が異なるため、ステップＳ３で実行される処理が異なっている。即ち、情報処理装置２０に対して一部を突出する処理をさせるための信号については、信号中継装置１０を情報処理装置２０の一部が突出させられても接触しない位置に移動させ、その後に信号を送信部１４に送信させる。情報処理装置２０に対して一部を突出させない処理をさせるための信号は、そのまま送信部１４に送信させる。
【図面の簡単な説明】
【００２２】
【図１】本発明の実施形態の信号中継装置の構成を示すブロック図である。
【図２】本発明の実施形態の信号中継装置が信号を中継するときの動作を説明する流れ図である。
【符号の説明】
【００２３】
１０  信号中継装置
１１  受信部
１２  記憶部
１３  制御部
１４  送信部
２０  情報処理装置
３０  携帯端末
【図１】
0004983507.tif 000002
【図２】
0004983507.tif 000003